(57)【要約】【課題】本発明は、効率的に被覆部材を剥離する剥離装置を提供する。【解決手段】本実施形態に係る剥離装置１は、回転軸１２と、板状である回転刃１４と、回転刃１４を複数重ねて回転軸１２に固定する固定部１６とを有し、回転刃１４は、回転軸１２の回転により回転しながら金属を覆う被覆部材を切断する。また、固定部１６は、重ねられた回転刃１４の両端部に位置するリングであり、固定部１６の直径／回転刃１４の直径が０．７以上０．９以下である。回転刃が独立しているため、欠けた刃のみを交換でき、コストパフォーマンスに優れ、且つ、回転刃１４の刃のみを露出させ、他の部分を固定部が覆うことで、回転刃１４が反ることを防ぐ。【選択図】図２
2019080378.tif 000002
【特許請求の範囲】
【請求項１】
回転軸と、
板状の回転刃と、
前記回転刃を複数枚重ねて前記回転軸に固定する固定部と
を有し、
前記回転刃は、前記回転軸の回転により、回転しながら金属を覆う被覆部材を切断する
剥離装置。
【請求項２】
前記固定部は、前記重ねられた回転刃の両端部に位置するリングであり、
前記リングの直径／前記回転刃の直径が０．７以上０．９以下である
請求項１に記載の剥離装置。
【請求項３】
前記回転軸には、５枚以上の前記回転刃が重ねられて固定されている
請求項１に記載の剥離装置。
【請求項４】
前記積層した回転刃において、前記回転軸の軸長方向における長さは、５ｍｍ以上２５ｍｍ以下である
請求項１に記載の剥離装置。
【請求項５】
前記回転刃により切断された前記被覆部材と前記金属との境界面に空気を吹き付けるエア噴射部
をさらに有し、
前記エア噴射部により吹き付けられた空気により、前記切断部により切断された前記被覆部材が前記金属から剥離する
請求項１に記載の剥離装置。
【発明の詳細な説明】
【技術分野】
【０００１】
本発明は、剥離装置に関するものである。
【背景技術】
【０００２】
例えば、特許文献１には、表面に絶縁紙が付着している銅線を、相対向する一対の回転ワイヤブラシの間に通すことにより上記絶縁紙を剥離することを特徴とする銅線の絶縁紙剥離方法が開示されている。
【０００３】
また、特許文献２には、樹脂で被覆された複数の芯線を束ねて外皮で被覆した多芯ケーブルを上ロールと下ロールとの間に挟持して送り込むとともに、前記上ロール及び下ロールのそれぞれの軸方向の間隙に配置されたカッターで前記外皮を引き切りすることにより該外皮を剥離する剥線装置のケーブル送り込み装置であって、前記上ロールは、前記間隙を挟んで第１の回転軸に取り付けられた第１のロールと第２のロールとを具備し、前記下ロールは、前記間隙を挟んで第２の回転軸に取り付けられた第３のロールと第４のロールとを具備し、前記第１のロール及び前記第２のロールは、その周面の前記間隙側に形成され、前記多芯ケーブルを挟持するための曲線状突起部と該曲線状突起部の外側に形成されたガイド用凸部とをそれぞれ有し、前記第３のロール及び第４のロールは、その周面に前記曲線状突起部に対向して形成された該曲線状突起部に対応する形状の曲線状部と前記ガイド用凸部に対向して形成された該凸部に対応する形状の凹部とをそれぞれ有することを特徴とするケーブル送り込み装置が開示されている。
【先行技術文献】
【特許文献】
【０００４】
【特許文献１】特開２００２−４５８３５号公報
【特許文献２】特開２０１６−８２６０７号公報
【発明の概要】
【発明が解決しようとする課題】
【０００５】
本発明は、効率的に被覆部材を剥離する剥離装置を提供することを目的とする。
【課題を解決するための手段】
【０００６】
本発明に係る剥離装置は、回転軸と、板状の回転刃と、前記回転刃を複数枚重ねて前記回転軸に固定する固定部とを有し、前記回転刃は、前記回転軸の回転により、回転しながら金属を覆う被覆部材を切断する。
【０００７】
好適には、前記固定部は、前記重ねられた回転刃の両端部に位置するリングであり、前記リングの直径／前記回転刃の直径が０．７以上０．９以下である。
【０００８】
好適には、前記回転軸には、５枚以上の前記回転刃が重ねられて固定されている。
【０００９】
好適には、前記積層した回転刃において、前記回転軸の軸長方向における長さは、５ｍｍ以上２５ｍｍ以下である。
【００１０】
好適には、前記回転刃により切断された前記被覆部材と前記金属との境界面に空気を吹き付けるエア噴射部をさらに有し、前記エア噴射部により吹き付けられた空気により、前記切断部により切断された前記被覆部材が前記金属から剥離する。
【発明の効果】
【００１１】
本発明によれば、効率的に被覆部材を剥離することができる。
【図面の簡単な説明】
【００１２】
【図１】切断対象の平角線６を例示する図である。
【図２】本実施形態における剥離装置１の構成を説明する正面図である。
【図３】（ａ）は、回転刃１４を例示する図であり、（ｂ）は、回転刃１４が４枚以下の場合の切断例を示す図である。
【図４】（ａ）は、回転刃１４と固定部１６との直径の関係を表す図であり、（ｂ）は、上ロール１０と下ロール２０と平角線６との位置関係を示す図である。
【図５】変形例における剥離装置１を説明する図である。
【発明を実施するための形態】
【００１３】
電力用の変圧器は、鉄心に銅線のコイルが巻かれて構成されるコアで電圧を変換させる。コイルを流れる電流がショートしないよう、コアは絶縁油に浸されている。この絶縁油にＰＣＢ（ポリ塩化ビフェニル）が含まれているものがあり、ＰＣＢに触れた部分が汚染部位となるため、無害化処理の後、廃棄物処理が必要である。一方で、コイルである銅線は純度が高くリサイクルに適する。しかし、絶縁紙が付いたままでは、不純物となるため、銅としての商品価値が下がること、また、汚染されていた絶縁紙は、無害化した後に焼却する必要があり、適正に処理するため、銅線に巻き付けられた絶縁紙を確実に剥離しなければならない。そこで、本発明の剥離装置１は、絶縁油に浸されていた銅線を被覆する絶縁紙と銅線とを効率的に分離し、且つ、分離するための剥離装置のメンテナンス性を向上させることを目的とする。
以下、本発明に係る実施形態の構成を、図面を参照して説明する。ただし、本発明の範囲は、図示例に限定されるものではない。
【００１４】
剥離装置１の切断対象は平角線である。図１に例示するように、平角線６は、断面が長方形の銅線６０に絶縁紙６２を巻き付けたもので、剥離装置１は、この絶縁紙６２を切断する。絶縁紙６２は、例えば厚さ５０μｍ〜８０μｍのクラフト紙であり、銅線６０に２枚以上重ね巻きされている。銅線６０は、本発明に係る金属の一例であり、絶縁紙６２は、本発明に係る被覆部材の一例である。
【００１５】
図２は、剥離装置１の構成を説明する正面図である。
図２に例示するように、剥離装置１は、上ローラ１０、下ローラ２０、調節部３０、及びガイド部４０により構成される。具体的には、上ローラ１０は、回転軸１２、回転刃１４、及び固定部１６からなり、下ローラ２０は、回転軸２２、回転刃２４、及び固定部２６からなる。
【００１６】
［回転軸１２及び回転軸２２］
回転軸１２は、図示しないモータの回転に応じて回転する。上ローラ１０において、回転軸１２には、回転刃１４が取り付けられており、回転軸１２が回転することにより回転刃１４が回転する。下ローラ２０についても上ローラ１０と同様に、回転軸２２には、回転刃２４が取り付けられており、回転軸２２が回転することにより回転刃２４も回転する。回転軸２２は、図示しないモータの回転に応じて回転してもよいし、例えば、チェーンを介して、回転軸１２の回転に応じて回転してもよい。
回転する上ローラ１０と下ローラ２０とは送られてきた平角線６を挟み込み、回転方向へと送る。
【００１７】
［回転刃１４及び回転刃２４］
回転刃１４は、板状の丸刃であり、中央に回転軸１６を取り付けるための軸孔１４０（不図示）を有する。具体的には、回転刃１４は、複数枚重ねられた状態で、軸孔１４０に回転軸１２が通されている。より具体的には、積層している回転刃１４の両端に、固定部１６が配置されており、固定部１６により、複数の回転刃１４が間隔を空けることなく回転軸１２に固定されている。回転刃１４は、回転軸１２周辺では、回転刃１４同士が互いに密着するように積層し、回転刃１４は、刃先が尖っているため、刃先部分は、回転刃１４間に隙間がある。回転刃１４は、回転軸１２の回転により回転しながら平角線６の絶縁紙６２を切断する。
回転刃２４も回転刃１４と同様に、積層している回転刃２４の両端に、固定部２６が配置されており、固定部２６により、複数の回転刃２４が間隔を空けることなく回転軸２２に固定されている。
【００１８】
図３（ａ）に例示するように、回転刃１４の刃の長さＬａは、約１ｍｍ以上５ｍｍ以下であり、剥離装置１において、回転刃１４は、５枚以上積層していることが好ましく、積層した回転刃１４の回転軸１２の軸帳方向、すなわち、回転刃１４を５枚積層した長さＬｂは、約５ｍｍ以上２５ｍｍ以下である。図３（ｂ）に例示するように、回転刃１４が４枚以下である場合、切断する際、上ローラ１０及び下ローラ２０により挟み込まれることによってかかる圧力により、平角線６が回転方向へ直進せず、斜め方向に逸れて送られることがある。その結果、上ローラ１０と下ローラ２０とにより平角線６を挟持することができず、絶縁紙６２を切断することが出来ない場合がある。
しかし、５枚以上の回転刃１４及び回転刃２４を積層することにより、切断可能な範囲が広がり、平角線６が直進せずに逸れたとしても、いずれかの刃により、絶縁紙６２を切断することが可能となる。つまり、切断に失敗する確率を減らすことができる。
【００１９】
剥離装置１は、図１に例示するように、平角線６の切断面において、縦Ｈが０．８ｍｍ以上４．０ｍｍ以下であり、横Ｗが５ｍｍ以上２５ｍｍ以下の平角線を対象としている。平角線の大きさに応じて、刃の種類、枚数は適宜変更可能であるが、積層した回転刃１４の回転軸１２の軸長方向における長さは、切断対象の平角線６よりも長いことがより好ましい。
そして、回転刃１４は、１枚１枚独立しているため、刃が欠けた場合に欠けた回転刃１４のみを交換すればよく、複数の刃が一体となった回転刃に比べ、コストをかけずにメンテナンス可能である。
【００２０】
［固定部１６及び固定部２６］
図４（ａ）に例示するように、固定部１６は、重ねられた回転刃１４の両端部に位置するリングであり、厚みは、１５ｍｍ以上である。固定部１６の直径Ｄa／回転刃１４の直径Ｄｂは、０．７以上０．９以下であり、好ましくは、固定部１６の直径Ｄa／回転刃１４の直径Ｄｂは、０．８以上０．９以下である。すなわち、図４（ａ）及び（ｂ）に例示するように、積層している回転刃１４の両端面は、刃先部分を露出させ、固定部１６が略覆っている。
回転刃１４間には、絶縁紙６２の切断片が入り込み、積層していた回転刃１４が離間していき、さらに切断片が入り込んで回転刃１４が固定部１６方向へ反る虞がある。
しかし、剥離装置１においては、回転刃１４の刃先部分以外は固定部１６により覆われているため、回転軸１２周辺だけでなく刃先部分近くまで固定されており、回転刃１４が離間する余地がない。したがって、切断片が入り込みにくいため、回転刃１４間の隙間が生じにくく、回転刃が外側、つまり固定部１６側に反れにくくなる。
【００２１】
［調節部３０］
図４（ｂ）に例示するように、調節部３０は、上ローラ１０と下ローラ２０との間隙Jを調整する。具体的には、調節部３０を時計回りに回転することにより上ローラ１０と下ローラ２０との間隙Jが狭くなり、反時計回りに回転することにより、上ローラ１０と下ローラ２０との間隙Jが広くなる。したがって、平角線６の厚みＨに応じて間隙Jを調整することができる。
【００２２】
［ガイド部４０］
ガイド部４０は、平角線を上ローラ１０と下ローラ２０との間に平角線６を送り込むために平角線６を載せる載置台である。ガイド部４０は、間隙Ｊへ向かって傾斜がついているため、間隙Ｊへと平角線６が入りやすくなる。
【００２３】
以上説明したように、本実施例にかかる剥離装置１は、独立した回転刃１４及び回転刃２４を複数枚重ねて平角線の絶縁紙を切断することにより、一部の刃が欠けた場合でも、欠けた回転刃のみを交換すれば良く、回転刃全体を交換する必要がないため、コストパフォーマンスに優れる。また、回転刃１４及び回転刃２４を複数枚重ねられることで切断面が大きくなり、絶縁紙６２にいずれかの回転刃が当たることで切断に失敗する確率が下がる。
そして、回転刃１４及び回転刃２４間の隙間に入り込んだ絶縁紙６２のために、回転刃同士が離間し、回転刃１４及び回転刃２４が両端の固定部１６方向へと外側に反れる虞があるが、剥離装置１において、積み重ねられた回転刃を両側から固定する固定部１６及び固定部２６が略回転刃１４及び回転刃２４を覆っているため、回転刃１４及び回転刃２４の反りを抑制することができる。
【００２４】
上記実施形態では、剥離装置１による平角線６の絶縁紙の切断までを行う場合について説明したが、これに限定されず、例えば、剥離装置１は、切断した絶縁紙６２の剥離を行ってもよい。
図５に例示するように、剥離装置１は、図２により示した剥離装置１の構成に加え、エア噴出部５０をする。エア噴出部５０は、剥離装置１により送られてきた平角線６に対向するように配置される。エア噴出部５０は、回転刃１４及び回転刃２４により切断された絶縁紙６２と銅線６０との境界面に空気を吹き付け、絶縁紙６２を銅線６０から剥離する。これにより、手作業により絶縁紙６２を剥離する手間が省けると同時に、作業者がＰＣＢの付着した絶縁紙に触れることなく絶縁紙を剥離することが可能である。
【００２５】
また、上記実施形態では、剥離装置１は、上ロール１０及び下ロール２０を備えているが、これに限定されず、例えば、上ロール１０だけもよい。下ロール２０の代わりに平角線６を載置する台が存在し、平角線６が台を滑るようにすれば、上ロール１０だけでも切断紙６２を切断することで、切れ込みが入り、切断紙６２の剥離が可能である。
【００２６】
以上、本発明に係る実施形態について説明したが、これらに限定されるものではなく、発明の趣旨を逸脱しない範囲内において、種々の変更、追加等が可能である。
【符号の説明】
【００２７】
１        剥離装置
６        平角線
１０      上ロール
１２      回転軸
１４      回転刃
１６      固定部
２０      下ロール
２２      回転軸
２４      回転刃
２６      固定部
３０      調節部
４０      ガイド部
５０      エア噴射部
６０      銅線
６２      絶縁紙
１４０    軸孔
【図１】
2019080378.tif 000003
【図２】
2019080378.tif 000004
【図３】
2019080378.tif 000005
【図４】
2019080378.tif 000006
【図５】
2019080378.tif 000007